(57)【要約】【課題】本発明は、ディスプレイ装置に関し、例えば有機ＥＬ素子等の電流駆動型発光素子を用いたディスプレイ装置に適用して、簡易な構成で黒浮き、黒沈みによるコントラストの劣化を防止することができるようにする。【解決手段】本発明は、原基準電圧ＶＲＴ、ＶＲＢ、ＶＲ、ＶＧ、ＶＢを抵抗分圧して複数の基準電圧Ｖ０〜Ｖ１５を生成し、この複数の基準電圧Ｖ０〜Ｖ１５を選択して画像データＤＲ、ＤＧ、ＤＢをディジタルアナログ変換処理するようにして、少なくとも黒レベル用の原基準電圧ＶＲＢを各色データＤＲ、ＤＧ、ＤＢで共通化し、黒レベル寄りの中間階調設定用の原基準電圧ＶＲ、ＶＧ、ＶＢを各色データＤＲ、ＤＧ、ＤＢで個別に可変できるようにする。【選択図】        図１
2008102235.tif 000002
【特許請求の範囲】
【請求項１】
画像データをディジタルアナログ変換処理して駆動信号を生成し、電流駆動型発光素子を用いた画素をマトリックス状に配置して形成された表示部を前記駆動信号で駆動するディスプレイ装置において、
制御データに応じて電圧を可変して複数の原基準電圧を生成する原基準電圧生成回路と、
前記画像データを形成する色データ毎に、前記複数の原基準電圧を抵抗分圧して複数の基準電圧をそれぞれ生成する複数の分圧回路とを備え、
少なくとも黒レベルに対応する前記原基準電圧を共通に前記複数の分圧回路に供給すると共に、
前記駆動信号の中間値の電圧より黒レベル寄りの前記原基準電圧を、前記色データ毎に、前記複数の分圧回路にそれぞれ供給する
ことを特徴とするディスプレイ装置。
【請求項２】
白レベルに対応する前記原基準電圧を共通に前記複数の分圧回路に供給する
ことを特徴とする請求項１に記載のディスプレイ装置。
【請求項３】
白レベルに対応する前記原基準電圧を前記色データ毎に、前記複数の分圧回路にそれぞれ供給する
ことを特徴とする請求項１に記載のディスプレイ装置。
【請求項４】
前記複数の原基準電圧が、
前記黒レベルに対応する前記原基準電圧、白レベルに対応する前記原基準電圧、前記駆動信号の中間値の電圧より黒レベル寄りの前記原基準電圧のみで形成された
ことを特徴とする請求項１に記載のディスプレイ装置。
【請求項５】
前記複数の原基準電圧が、
前記黒レベルに対応する前記原基準電圧、白レベルに対応する前記原基準電圧、前記駆動信号の中間値の電圧より黒レベル寄りの前記原基準電圧、前記駆動信号の中間値の電圧より白レベル寄りの前記原基準電圧のみで形成された
ことを特徴とする請求項１に記載のディスプレイ装置。
【発明の詳細な説明】
【技術分野】
【０００１】
本発明は、ディスプレイ装置に関し、例えば有機ＥＬ（Electro Luminescence）素子等の電流駆動型発光素子を用いたディスプレイ装置に適用することができる。本発明は、原基準電圧を抵抗分圧して複数の基準電圧を生成し、この複数の基準電圧を選択して画像データをディジタルアナログ変換処理するようにして、少なくとも黒レベル用の原基準電圧を各色データで共通化し、黒レベル寄りの中間階調設定用の原基準電圧を各色データで個別に可変できるようにすることにより、簡易な構成で黒浮き、黒沈みによるコントラストの劣化を防止することができるようにする。
【背景技術】
【０００２】
従来、液晶表示装置等のディスプレイ装置は、例えば液晶表示パネルを駆動するドライバにガンマ補正回路が設けられ、このガンマ補正回路で入力信号の信号レベルを補正して所望するガンマを確保している。ここでガンマγは、入力信号の信号レベルをＩＮ、出力輝度値をＹとおいて、次式で表され、通常のディスプレイ装置ではγ＝２．２に設定される。
【０００３】
【数１】
2008102235.tif 000003
【０００４】
このような液晶表示装置等のガンマ補正に関して、特開２０００−３２４５０８号公報等に種々の工夫が提案されている。
【０００５】
図１５は、有機ＥＬ素子を用いたディスプレイ装置の１画素の構成を示す接続図である。有機ＥＬ素子を用いたディスプレイ装置は、この画素１がマトリックス状に配置されて画像を表示する表示部が形成される。
【０００６】
ここで画素１は、例えばｐチャンネルＭＯＳ型のトランジスタによる駆動トランジスタＴｒ２と有機ＥＬ素子２との直列回路が電源ＶＤＤ１及びＶＳＳ１間に設けられる。画素１は、駆動トランジスタＴｒ２のゲートがトランジスタＴｒ１を介して信号線ｓｉｇに接続され、制御信号ＶＳＣＡＮ１でこのトランジスタＴｒ１をオン状態に設定することにより、駆動トランジスタＴｒ２のゲートが信号線ｓｉｇに接続され、この信号線ｓｉｇの電位が駆動トランジスタＴｒ２のゲートに接続されたコンデンサＣＳ１に保持される。駆動トランジスタＴｒ２は、このコンデンサＣＳ１に保持された信号線ｓｉｇの電圧に応じたゲート電圧で有機ＥＬ素子２を駆動する。これにより画素１は、信号線ｓｉｇに印加されるデータ電圧ＶＤＡＴＡに応じた輝度値で有機ＥＬ素子２を発光させる。
【０００７】
ここで有機ＥＬ素子２の発光特性は、有機ＥＬ素子２の発光輝度値をＬ、有機ＥＬ素子の電流値をＩとおいて、次式により表される。但しβは、駆動トランジスタＴｒ２の移動度μ、駆動トランジスタＴｒ２のゲート酸化膜の単位容量Ｃｏｘ、駆動トランジスタＴｒ２のゲート幅Ｗ、データ電圧（入力信号の信号レベル）Ｖｄａｔａ、駆動トランジスタＴｒ２の閾値電圧Ｖｔｈを用いて、β＝μ・Ｃｏｘ・Ｗ／Ｌで表される。
【０００８】
【数２】
2008102235.tif 000004
【０００９】
従ってこの（２）式を（１）式に適用すれば、有機ＥＬ素子２は、γ＝２．０となる。従って有機ＥＬ素子２を用いたディスプレイ装置では、ガンマ補正回路を設けなくても、概ね適切なガンマで画像表示することができる。
【００１０】
しかしながら実際の有機ＥＬ素子２では、（２）式で表される理想的な特性から黒側で輝度値が立ち上がり、コントラストが劣化する場合がある。なお以下において、この現象を黒浮きと呼ぶ。
【００１１】
すなわち有機ＥＬ素子を用いたディスプレイ装置では、駆動トランジスタＴｒ２にＴＦＴ（Thin Film Transistor）が適用され、このＴＦＴのＩＶ特性は、飽和領域において次式で表される。なお図１６は、このＴＦＴのＩＶ特性を特性曲線図である。Ｉｄｓはドレイン電流であり、Ｖｇｓはゲートソース間電圧である。
【００１２】
【数３】
2008102235.tif 000005
【００１３】
しかしながらＴＦＴは、特に低電流領域にサブシュレショールド領域が存在し、図１６において破線で示すように、このサブシュレショールド領域で（３）式で表される理想的な特性からＩＶ特性が変化する場合がある。その結果、有機ＥＬ素子を用いたディスプレイ装置では、黒浮きの現象が発生することになる。
【００１４】
また有機ＥＬ素子２のＩＬ特性は、次式で表される。なおここでＬは輝度値、Ｉは電流、φは効率である。
【００１５】
【数４】
2008102235.tif 000006
【００１６】
ここで効率φは、理想的には定数であるが、実際には電流によって変化する場合があり、特に低電流領域で変化する場合が多い。ここでこの効率の変化は、図１７に示すように、効率が低下する方向に変化する場合が殆どである。ここで低電流側で効率が低下すると、黒浮きとは逆に黒側が沈んでしまい、コントラストが低下することになる。
【特許文献１】特開２０００−３２４５０８号公報
【発明の開示】
【発明が解決しようとする課題】
【００１７】
本発明は以上の点を考慮してなされたもので、簡易な構成で黒浮き、黒沈みによるコントラストの劣化を防止することができるディスプレイ装置を提案しようとするものである。
【課題を解決するための手段】
【００１８】
上記の課題を解決するため請求項１の発明は、画像データをディジタルアナログ変換処理して駆動信号を生成し、電流駆動型発光素子を用いた画素をマトリックス状に配置して形成された表示部を前記駆動信号で駆動するディスプレイ装置に適用して、制御データに応じて電圧を可変して複数の原基準電圧を生成する原基準電圧生成回路と、前記画像データを形成する色データ毎に、前記複数の原基準電圧を抵抗分圧して複数の基準電圧をそれぞれ生成する複数の分圧回路と、前記色データ毎に、前記色データに応じて前記複数の基準電圧をそれぞれ選択して前記駆動信号を生成する選択回路とを備え、少なくとも黒レベルに対応する前記原基準電圧を共通に前記複数の分圧回路に供給すると共に、前記駆動信号の中間値の電圧より前記黒レベル寄りの前記原基準電圧を、前記色データ毎に、前記複数の分圧回路にそれぞれ供給する。
【００１９】
請求項１の構成によれば、少なくとも黒レベルに対応する前記原基準電圧を共通に複数の分圧回路に供給することから、構成を簡略化することができる。また駆動信号の中間値の電圧より黒レベル寄りの原基準電圧を、色データ毎に、複数の分圧回路にそれぞれ供給することから、各色の画素における黒浮き、黒沈みを防止するようにしてコントラストの劣化を防止することができる。
【発明の効果】
【００２０】
本発明によれば、簡易な構成で黒浮き、黒沈みによるコントラストの劣化を防止することができる。
【発明を実施するための最良の形態】
【００２１】
以下、適宜図面を参照しながら本発明の実施例を詳述する。
【実施例１】
【００２２】
（１）実施例の構成
図２は、本発明の実施例１のディスプレイ装置を示すブロック図である。このディスプレイ装置１０は、例えばガラス基板等の絶縁基板上にＴＦＴ等を順次作成して、赤色、緑色、青色の画素１３Ｒ、１３Ｇ、１３Ｂをマトリックス状に配置して表示部１２が形成される。ディスプレイ装置１０は、この表示部１２の各画素１３Ｒ、１３Ｇ、１３Ｂがそれぞれ信号線（列線）ｓｉｇ（ｓｉｇＲ、ｓｉｇＧ、ｓｉｇＢ）及び走査線（行線）Ｇを介して水平駆動回路１４及び垂直駆動回路１５に接続される。このディスプレイ装置１０は、垂直駆動回路１５で順次画素１３Ｒ、１３Ｇ、１３Ｂを選択して水平駆動回路１４からの駆動信号で各画素１３Ｒ、１３Ｇ、１３Ｂの階調を設定し、所望のカラー画像を表示する。
【００２３】
このためディスプレイ装置１０は、装置本体１６から赤色、緑色、青色の色データによる画像データＤＲ、ＤＧ、ＤＢを同時並列的にコントローラ１７に入力し、この画像データＤＲ、ＤＧ、ＤＢに同期したタイミング信号を垂直駆動回路１５で生成して表示部２の走査線Ｇを駆動する。また垂直駆動回路１５の駆動に対応するように、これら画像データＤＲ、ＤＧ、ＤＢを時分割多重化して１系統の画像データＤ１を生成し、この画像データＤ１により水平駆動回路１４で信号線ｓｉｇを駆動する。
【００２４】
ここで各画素１３Ｒ、１３Ｇ、１３Ｂは、それぞれ対応する発光色の有機ＥＬ素子２が設けられている点を除いて、図１５について上述した画素１と同一に形成される。
【００２５】
図３は、この水平駆動回路１４及びコントローラ１７を詳細に示すブロック図である。コントローラ１７は、メモリ制御回路１９の制御により装置本体１６から出力される画像データＤＲ、ＤＧ、ＤＢをメモリ２０に順次格納し、信号線ｓｉｇの駆動に対応するようにこれら画像データＤＲ、ＤＧ、ＤＢを時分割多重化して画像データＤ１を出力する。
【００２６】
またコントローラ１７は、タイミングジェネレータ（ＴＧ）２１で画像データＤ１に同期した各種タイミング信号を生成して水平駆動回路１４、垂直駆動回路１５に出力する。またコントローラ１７は、ディジタルアナログ変換処理用の基準電圧の生成基準である原基準電圧ＶＲＴ、ＶＲ〜ＶＢ、ＶＲＢを原基準電圧生成回路２２で生成して水平駆動回路１４に出力する。
【００２７】
水平駆動回路１４は、コントローラ１７から出力される画像データＤ１をシフトレジスタ２３に入力し、この画像データＤ１（ＤＲ、ＤＧ、ＤＢ）を信号線ｓｉｇの各系統に順次振り分ける。アナログディジタル変換部２４Ｒ、２４Ｇ、２４Ｂは、それぞれシフトレジスタ２３から出力される赤色、緑色、青色の画像データＤＲ、ＤＧ、ＤＢをディジタルアナログ変換処理し、各信号線ｓｉｇ（ｓｉｇＲ、ｓｉｇＧ、ｓｉｇＢ）の駆動信号を生成する。増幅回路２６ＲＡ〜２６ＲＮ、２６ＧＡ〜２６ＧＮ、２６ＢＡ〜２６ＢＮは、このディジタルアナログ変換部２４Ｒ、２４Ｇ、２４の出力信号をそれぞれ増幅して表示部１２に出力する。
【００２８】
ここで図１は、原基準電圧生成回路２２及びアナログディジタル変換部２４Ｒ、２４Ｇ、２４Ｂの構成を詳細に示すブロック図である。原基準電圧生成回路２２は、コントローラ１７から出力される制御データＤＳに応じて原基準電圧ＶＲＴ、ＶＲ〜ＶＢ、ＶＲＢを生成する。すなわち原基準電圧生成回路２２において、ディジタルアナログ変換回路（Ｄ／Ａ）３１は、制御データＤＳに応じて白レベル設定用の原基準電圧ＶＲＴを生成し、ディジタルアナログ変換回路（Ｄ／Ａ）３２は、制御データＤＳに応じて黒レベル設定用の原基準電圧ＶＲＢを生成する。これに対してディジタルアナログ変換回路（Ｄ／Ａ）３３Ｒ、３３Ｇ、３３Ｂは、制御データＤＳに応じて、それぞれ赤色、緑色、青色の中間階調設定用の原基準電圧ＶＲ、ＶＧ、ＶＢを生成する。
【００２９】
ここでこの中間階調設定用の原基準電圧ＶＲ、ＶＧ、ＶＢは、黒浮き、黒沈みの調整用電圧である。従って中間階調設定用の原基準電圧ＶＲ、ＶＧ、ＶＢは、白レベル及び黒レベルの中間の電圧より黒レベル寄りの電圧に設定される。
【００３０】
アナログディジタル変換部２４Ｒ、２４Ｇ、２４Ｂは、この原基準電圧生成回路２２で生成された原基準電圧ＶＲＴ、ＶＲ〜ＶＢ、ＶＲＢからディジタルアナログ変換処理用の基準電圧Ｖ０〜Ｖ１５を生成し、画像データＤＲ、ＤＧ、ＤＢに応じてこの基準電圧Ｖ０〜Ｖ１５を選択して信号線ｓｉｇに出力する。なおアナログディジタル変換部２４Ｒ、２４Ｇ、２４Ｂは、基準電圧Ｖ０〜Ｖ１５の生成に使用する中間階調設定用の原基準電圧ＶＲ、ＶＧ、ＶＢが異なる点を除いて同一に構成されることから、以下においては、赤色用のアナログディジタル変換部２４Ｒについて詳細を説明し、他のアナログディジタル変換部２４Ｇ、２４Ｂの重複した説明は省略する。
【００３１】
ここでアナログディジタル変換部２４Ｒは、白レベル設定用の原基準電圧ＶＲＴ、黒レベル設定用の原基準電圧ＶＲＢ、中間階調設定用の原基準電圧ＶＲを基準電圧生成回路３５に入力し、基準電圧Ｖ０〜Ｖ１５を生成する。すなわち基準電圧生成回路３５は、所定抵抗値の抵抗Ｒ１〜Ｒ１５をそれぞれ所定個数だけ直列接続して分圧回路が形成され、この分圧回路の両端に白レベル設定用の原基準電圧ＶＲＴ、黒レベル設定用の原基準電圧ＶＲＢが入力される。また分圧回路の両端電圧、これら抵抗Ｒ１〜Ｒ１５の各接続点の電圧が基準電圧Ｖ０〜Ｖ１５として出力される。また抵抗Ｒ１〜Ｒ１５の中央より黒レベル設定用の原基準電圧ＶＲＢが入力される側の所定位置に、中間階調設定用の原基準電圧ＶＲが入力される。
【００３２】
アナログディジタル変換部２４Ｒは、各信号線ｓｉｇの系統に振り分けられてシフトレジスタ２３から出力される各画像データＤＲに応じて、それぞれセレクタ（ＳＥＬ）３６Ａ〜３６Ｎで基準電圧Ｖ０〜Ｖ１５を選択することにより、各画像データＤＲをディジタルアナログ変換処理して駆動信号を生成する。アナログディジタル変換部２４Ｒは、それぞれこの駆動信号を対応する増幅回路２６ＲＡ〜２６ＲＮに出力する。
【００３３】
コントローラ１７は、工場出荷時の調整作業において、原基準電圧ＶＲＴ、ＶＲＢ、ＶＲ〜ＶＢの設定用に、制御データＤＳをメモリに記録して保持し、このディスプレイ装置１０の電源立ち上げ時、メモリに記録した制御データＤＳをディジタルアナログ変換回路３１、３２、３３Ｒ〜３３Ｂに設定する。これにより図４において矢印により示すように、このディスプレイ装置１０では、この制御データＤＳの設定により、赤色、緑色、青色の画素１３Ｒ、１３Ｇ、１３Ｂの白レベル、黒レベルをまとめて調整するのに対し、黒浮き、黒沈みについては、赤色、緑色、青色の画素１３Ｒ、１３Ｇ、１３Ｂで個々に原基準電圧ＶＲ、ＶＧ、ＶＢを調整できるように構成される。
【００３４】
（２）実施例の動作
以上の構成において、このディスプレイ装置１０では（図２）、表示に供する画像データＤＲ〜ＤＢが装置本体１６からコントローラ１７に入力され、ここで時分割多重化処理されて水平駆動回路１４に入力される。この水平駆動回路１４において（図３）、画像データＤ１は、シフトレジスタ２３に取り込まれて各信号線ｓｉｇに振り分けられる。またそれぞれ各色のディジタルアナログ変換部２４Ｒ、２４Ｇ、２４Ｂにおいて、各信号線ｓｉｇに振り分けられた画像データＤＲ、ＤＧ、ＤＢがディジタルアナログ変換処理されて各信号線ｓｉｇの駆動信号が生成され、この駆動信号がそれぞれ増幅回路２６ＲＡ〜１６ＢＮを介して表示部１２の信号線ｓｉｇに出力される。各画素１３Ｒ、１３Ｇ、１３Ｂでは（図１５）、この駆動信号の出力により変化する信号線ｓｉｇの電位がトランジスタＴｒ１のオン動作によりコンデンサＣＳ１に保持され、このコンデンサＣＳ１に保持された電圧によるゲート電圧で駆動トランジスタＴｒ２が有機ＥＬ素子２を駆動する。これによりこのディスプレイ装置１０では、画像データＤＲ、ＤＧ、ＤＢの画像を表示することができる。
【００３５】
ここでこのディスプレイ装置１０は、有機ＥＬ素子２をＴＦＴの駆動トランジスタＴｒ２で駆動しており、図１６について上述したように、有機ＥＬ素子２の発光輝度値Ｌは、信号線ｓｉｇの電位を保持したコンデンサの両端電位差である駆動トランジスタＴｒ２のゲートソース間電圧Ｖｇｓからしきい値電圧Ｖｔｈを減じた値の２乗値に比例して変化することから（（２）式）、何らガンマ補正回路を設けなくてもγ＝２の特性を確保することができ、実用上、十分な色再現性を確保することができる。
【００３６】
しかしながら有機ＥＬ素子２は、黒浮き、黒沈みが発生する場合があり、特に黒浮きにあっては、見た目の画質が著しく劣化する。また厳密にはγ＝２．２が求められることから、何らガンマを補正しない場合には、若干、色再現性が劣化していることになる。
【００３７】
そこでこのディスプレイ装置１０では（図１）、ディジタルアナログ変換部２４Ｒ、２４Ｇ、２４Ｂにおいて、複数の抵抗Ｒ１〜Ｒ１５の直列回路で分圧回路が作成され、この分圧回路で生成された基準電圧Ｖ０〜Ｖ１５をセレクタ３６Ａ〜３６Ｎで選択して画像データＤＲ、ＤＧ、ＤＢがディジタルアナログ変換処理される。これによりこのディスプレイ装置１０では、この抵抗Ｒ１〜Ｒ１５による分圧回路の分圧比を設定して、所望のガンマ特性を確保することができる。
【００３８】
また基準電圧生成回路３５において、制御データＤＳに応じて、この分圧回路の両端に入力する白レベル設定用の原基準電圧ＶＲＴ、黒レベル設定用の原基準電圧ＶＲＢを生成し、これにより制御データＤＳの設定により白レベル、黒レベルを調整することができる。基準電圧生成回路３５では、各色データのディジタルアナログ変換部２４Ｒ、２４Ｇ、２４Ｂでそれぞれ基準電圧Ｖ０〜Ｖ１５を生成するようにして、白レベル設定用の原基準電圧ＶＲＴ、黒レベル設定用の原基準電圧ＶＲＢについては、これらディジタルアナログ変換部２４Ｒ、２４Ｇ、２４Ｂで共通に使用される。従ってこのディスプレイ装置１０では、図４において駆動信号における調整による電位の変化を矢印で示すように、白レベル及び黒レベルを各色データで共通に調整して調整作業を簡略化することができ、また構成を簡略化することができる。
【００３９】
ディスプレイ装置１０では、さらに基準電圧生成回路３５のディジタルアナログ変換回路３３Ｒ、３３Ｇ、３３Ｂにおいて、それぞれ制御データＤＳにより赤色、緑色、青色の中間階調設定用の原基準電圧ＶＲ、ＶＧ、ＶＢが生成され、これらの原基準電圧ＶＲ、ＶＧ、ＶＢが分圧回路の中間階調より黒レベル側の分圧抵抗間に出力される。これによりディスプレイ装置１０では、いわゆる１点の折れ線の特性によりガンマ特性を設定し、図４に示すように、赤色、緑色、青色の画素毎に、黒浮き、黒沈みを調整することができる。
【００４０】
またさらにこの実施例によれば、中間階調設定用の原基準電圧ＶＲ、ＶＧ、ＶＢを制御データＤＳで調整することにより、これら黒浮き、黒沈みについてだけでなく、黒近傍におけるホワイトバランスを調整することができる。これに対してホワイトバランスの乱れは、白レベル近傍より黒レベル近傍で目立つ特徴がある。これによりこのディスプレイ装置１０では、簡易な構成で、従来に比して一段と正確に階調表現することができる。
【００４１】
（３）実施例の効果
以上の構成によれば、原基準電圧を抵抗分圧して複数の基準電圧を生成し、この複数の基準電圧を選択して画像データをディジタルアナログ変換処理するようにして、少なくとも黒レベル用の原基準電圧を各色データで共通化し、黒レベル寄りの中間階調設定用の原基準電圧を各色データで個別に可変できるようにすることにより、簡易な構成で黒浮き、黒沈みによるコントラストの劣化を防止することができる。またこのとき色データ毎に、中間階調調整用の電圧を印加することにより黒レベル近傍のホワイトバランスを細かく調整して一段と画質を向上することができる。
【実施例２】
【００４２】
図５は、本発明の実施例２のディスプレイ装置に適用される画素を示す接続図である。この実施例の画素３２は、駆動トランジスタＴｒ２がｎチャンネルＭＯＳ型のトランジスタで形成される。従って図４との対比により図６に示すように、画素の発光輝度に対する信号線ｓｉｇの電位が、上述の実施例１のディスプレイ装置１０と逆転するように、各部が形成される。
【００４３】
この実施例のように駆動トランジスタをｎチャンネルＭＯＳ型のトランジスタで形成する場合でも、実施例１と同様の効果を得ることができる。
【実施例３】
【００４４】
図７及び図８は、図１及び図３との対比により、本発明の実施例３のディスプレイ装置の一部構成を示すブロック図である。このディスプレイ装置において、原基準信号生成回路４２は、赤色用、緑色用、青色用の白レベル設定用の原基準電圧ＶＲＴＲ、ＶＲＴＧ、ＶＲＴＢをそれぞれ色データ毎に生成する。また赤色用、緑色用、青色用のディジタルアナログ変換部４４Ｒ、４４Ｇ、４４Ｂは、この赤色用、緑色用、青色用の白レベル設定用の原基準電圧ＶＲＴＲ、ＶＲＴＧ、ＶＲＴＢをそれぞれ使用して基準電圧Ｖ０〜Ｖ１５を生成し、これにより黒レベル近傍の中間レベルに加えて、白レベルも色毎に調整できるようにする。
【００４５】
この実施例によれば、黒レベル近傍の中間レベルに加えて、白レベルも色毎に調整できることにより、一段と色再現性を向上することができる。
【実施例４】
【００４６】
図９及び図１０は、図１及び図３との対比により、本発明の実施例４のディスプレイ装置の一部構成を示すブロック図である。このディスプレイ装置において、原基準信号生成回路５２は、中間階調より白寄りの赤色用、緑色用、青色用の原基準電圧ＶＲ１、ＶＧ１、ＶＢ１をさらに色データ毎に生成する。また赤色用、緑色用、青色用のディジタルアナログ変換部５４Ｒ、５４Ｇ、５４Ｂは、白レベル設定用の原基準電圧ＶＲＴ、中間階調より白寄りの原基準電圧ＶＲ１、ＶＧ１、ＶＢ１Ｒ、中間階調より黒寄りの原基準電圧ＶＲ、ＶＧ、ＶＢＲ、黒レベル調整用の原基準電圧ＶＲＢで基準電圧Ｖ０〜Ｖ１５を生成する。
【００４７】
これによりこの実施例のディスプレイ装置では、図１１に示すように、黒レベル寄り、白レベル寄りの中間階調を色毎に調整できるようにして、いわゆる２点の折れ線の特性によりガンマ特性を設定する。
【００４８】
この実施例のように２点折れ線の特性によりガンマ特性を設定するようにしても、実施例１と同様の効果を得ることができる。また実施例１に比してより細かくガンマ調整することができる。
【実施例５】
【００４９】
図１２及び図１３は、図９及び図１０との対比により、本発明の実施例５のディスプレイ装置の一部構成を示すブロック図である。このディスプレイ装置において、原基準信号生成回路６２は、さらに白レベル設定用の原基準電圧ＶＲＴＲ、ＶＲＴＧ、ＶＲＴＢを色毎に生成する。また赤色用、緑色用、青色用のディジタルアナログ変換部６４Ｒ、６４Ｇ、６４Ｂは、白レベル設定用の原基準電圧ＶＲＴＲ、ＶＲＴＧ、ＶＲＴＢ、中間階調より白寄りの原基準電圧ＶＲ１、ＶＧ１、ＶＢ１Ｒ、中間階調より黒寄りの原基準電圧ＶＲ、ＶＧ、ＶＢＲ、黒レベル調整用の原基準電圧ＶＲＢで基準電圧Ｖ０〜Ｖ１５を生成する。
【００５０】
これによりこの実施例のディスプレイ装置では、図１４に示すように、黒レベル寄り、白レベル寄りの中間階調、白レベルを色毎に調整できるようにして、いわゆる２点折れ線の特性によりガンマ特性を設定する。
【００５１】
この実施例のように２点折れ線の特性によりガンマ特性を設定するようにして、さらに白レベル設定用の原基準電圧を色データ毎に生成するようにしても、実施例１と同様の効果を得ることができる。また実施例４に比してより細かくガンマ調整することができる。
【実施例６】
【００５２】
なお上述の実施例においては、電流駆動型発光素子に有機ＥＬ素子を適用してディスプレイ装置を構成する場合について述べたが、本発明はこれに限らず、種々の電流駆動型発光素子を使用したディスプレイ装置に広く適用することができる。
【産業上の利用可能性】
【００５３】
本発明は、ディスプレイ装置に関し、例えば有機ＥＬ素子等の電流駆動型発光素子を用いたディスプレイ装置に適用することができる。
【図面の簡単な説明】
【００５４】
【図１】本発明の実施例１のディスプレイ装置の原基準電圧生成回路及びディジタルアナログ変換部を示すブロック図である。
【図２】本発明の実施例１のディスプレイ装置を示すブロック図である。
【図３】図２のディスプレイ装置のコントローラ及び水平駆動回路を示すブロック図である。
【図４】図２のディスプレイ装置におけるガンマ調整の説明に供する特性曲線図である。
【図５】本発明の実施例２のディスプレイ装置の画素を示す接続図である。
【図６】本発明の実施例２のディスプレイ装置におけるガンマ調整の説明に供する特性曲線図である。
【図７】本発明の実施例３のディスプレイ装置におけるコントローラ及び水平駆動回路を示すブロック図である。
【図８】図７のディスプレイ装置の原基準電圧生成回路及びディジタルアナログ変換部を示すブロック図である。
【図９】本発明の実施例４のディスプレイ装置におけるコントローラ及び水平駆動回路を示すブロック図である。
【図１０】図９のディスプレイ装置の原基準電圧生成回路及びディジタルアナログ変換部を示すブロック図である。
【図１１】本発明の実施例４のディスプレイ装置におけるガンマ調整の説明に供する特性曲線図である。
【図１２】本発明の実施例５のディスプレイ装置におけるコントローラ及び水平駆動回路を示すブロック図である。
【図１３】図１２のディスプレイ装置の原基準電圧生成回路及びディジタルアナログ変換部を示すブロック図である。
【図１４】本発明の実施例５のディスプレイ装置におけるガンマ調整の説明に供する特性曲線図である。
【図１５】有機ＥＬ素子を用いた画素を示す接続図である。
【図１６】ＴＦＴの特性を示す特性曲線図である。
【図１７】効率を示す特性曲線図である。
【符号の説明】
【００５５】
１、１３Ｒ、１３Ｇ、１３Ｂ、４２……画素、２……有機ＥＬ素子、１０……ディスプレイ装置、１４……水平駆動回路、１７……コントローラ、２２、４２、５２、６２……原基準電圧生成回路、２４Ｒ、２４Ｇ、４４Ｂ、４４Ｒ、４４Ｇ、４４Ｂ、５４Ｒ、５４Ｇ、５４Ｂ、６４Ｒ、６４Ｇ、６４Ｂ……ディジタルアナログ変換部、３３Ｒ、３３Ｇ、３３Ｂ……アナログディジタル変換回路、３５……基準電圧生成回路、３６Ａ〜３６Ｎ……セレクタ
【図１】
2008102235.tif 000007
【図２】
2008102235.tif 000008
【図３】
2008102235.tif 000009
【図４】
2008102235.tif 000010
【図５】
2008102235.tif 000011
【図６】
2008102235.tif 000012
【図７】
2008102235.tif 000013
【図８】
2008102235.tif 000014
【図９】
2008102235.tif 000015
【図１０】
2008102235.tif 000016
【図１１】
2008102235.tif 000017
【図１２】
2008102235.tif 000018
【図１３】
2008102235.tif 000019
【図１４】
2008102235.tif 000020
【図１５】
2008102235.tif 000021
【図１６】
2008102235.tif 000022
【図１７】
2008102235.tif 000023